(57)【要約】【課題】セキュリティーを確保した状態でタッチミスによるパスワードの入力間違いを削減する。【解決手段】画像形成装置１は、文字、数字又は記号を示す複数の入力キーが配置されたソフトウェアキーボードを表示して、ソフトウェアキーボードを表示した表示面へのタッチ位置に対応して入力キーへのタッチ操作を受け付けるタッチパネル１１１と、タッチパネル１１１を介して入力される入力パスワードと、設定パスワード１３１とを照合することでユーザー認証を実行する認証処理部１６５と、照合結果が不一致だった場合に、入力パスワードにおけるタッチミスを検出するタッチミス検出部１６３とを備え、認証処理部１６５は、タッチミスが検出された場合に、入力パスワードを設定パスワード１３１が入力されたものとして認証する。【選択図】図１
2018028833.tif 000002
【特許請求の範囲】
【請求項１】
文字、数字又は記号を示す複数の入力キーが配置されたソフトウェアキーボードを表示して、前記ソフトウェアキーボードを表示した表示面へのタッチ位置に対応して前記入力キーへのタッチ操作を受け付けるタッチパネルと、
前記タッチパネルを介して入力される入力パスワードと、設定パスワードとを照合することでユーザー認証を実行する認証処理部と、
照合結果が不一致だった場合に、前記入力パスワードにおけるタッチミスを検出するタッチミス検出部とを備え、
前記認証処理部は、前記タッチミスが検出された場合に、前記入力パスワードを前記設定パスワードが入力されたものとして認証することを特徴とする認証装置。
【請求項２】
前記タッチミス検出部は、
前記照合結果が不一致だった前記入力パスワードの文字、数字又は記号を示す前記入力キーが、対応する前記設定パスワードの文字、数字又は記号を示す前記入力キーに前記ソフトウェアキーボード上で隣接している場合に、前記タッチミスとして検出する
ことを特徴とする請求項１に記載の認証装置。
【請求項３】
前記タッチミス検出部は、
前記照合結果が不一致だった前記入力パスワードの文字、数字又は記号に対応する前記設定パスワードの文字、数字又は記号を示す前記入力キーを中心として前記タッチミスを許容するタッチミス範囲を前記ソフトウェアキーボード上に設定し、不一致だった前記入力パスワードの文字、数字又は記号を示す前記入力キーに対する前記タッチ位置が前記タッチミス範囲に含まれる場合に、前記タッチミスとして検出する
ことを特徴とする請求項１又は２に記載の認証装置。
【請求項４】
前記タッチミス検出部は、
前記タッチミスを検出した場合に、前記タッチミスを検出した前記入力パスワードの文字、数字又は記号を示す前記入力キーに対する前記タッチ位置と、対応する前記設定パスワードの文字、数字又は記号を示す前記入力キーとの前記ソフトウェアキーボード上の配置位置に基づいて前記タッチミスの傾向を取得し、
前記認証処理部は、
今回の前記タッチミスの傾向が前回の前記タッチミスの傾向と同じだった場合に、前記入力パスワードを前記設定パスワードが入力されたものとして認証する
ことを特徴とする請求項１から３までのいずれか１項に記載の認証装置。
【請求項５】
請求項１から４までのいずれか１項に記載の認証装置を備えた
ことを特徴とする画像形成装置。
【発明の詳細な説明】
【技術分野】
【０００１】
本発明は、パスワードを用いてユーザー認証を行う認証装置及び画像形成装置に関する。
【背景技術】
【０００２】
パスワードを用いたユーザー認証では、入力ミス等でパスワードの再入力を要求されることがある。特に、タッチパネル等のソフトウェアキーボードを用いてパスワード入力を行う場合に、タッチミスに気付かないことが多い。そのため、タッチ操作された操作ボタンの表示色を変えたり、タッチ位置周辺の操作ボタンを拡大表示したりする技術が提案されている（例えば、特許文献１、２を参照）。また、パスワードの再入力画面において、前回入力されたパスワードの内、正しく入力された文字を"＊"等の文字で識別不可能に表示し、間違って入力された文字を識別可能に表示して、間違って入力された文字の再入力のみを受け付ける技術が提案されている（例えば、特許文献３を参照）。
【先行技術文献】
【特許文献】
【０００３】
【特許文献１】特開2013-131181号公報
【特許文献２】特開2008-065504号公報
【特許文献３】特開2005-038416号公報
【発明の概要】
【発明が解決しようとする課題】
【０００４】
しかしながら、特許文献１、２の技術では、パスワードとして入力中の文字が目立って表示され、セキュリティー上問題があった。また、特許文献３の技術においても、正しく入力された文字のみを識別不可能に表示することで、間違って入力したパスワードの内、何文字目に入力した文字が正しいかが分かってしまい、パスワードを知らない第三者が何度もパスワードを入力し直すうちに正しいパスワードにたどり着いてしまうという問題があった。
【０００５】
本発明は上記課題に鑑みてなされたものであり、セキュリティーを確保した状態でタッチミスによるパスワードの入力間違いを削減することができる技術を提供することを目的とする。
【課題を解決するための手段】
【０００６】
本発明の認証装置は、文字、数字又は記号を示す複数の入力キーが配置されたソフトウェアキーボードを表示して、前記ソフトウェアキーボードを表示した表示面へのタッチ位置に対応して前記入力キーへのタッチ操作を受け付けるタッチパネルと、前記タッチパネルを介して入力される入力パスワードと、設定パスワードとを照合することでユーザー認証を実行する認証処理部と、照合結果が不一致だった場合に、前記入力パスワードにおけるタッチミスを検出するタッチミス検出部とを備え、前記認証処理部は、前記タッチミスが検出された場合に、前記入力パスワードを前記設定パスワードが入力されたものとして認証することを特徴とする。
また、前記タッチミス検出部は、前記照合結果が不一致だった前記入力パスワードの文字、数字又は記号を示す前記入力キーが、対応する前記設定パスワードの文字、数字又は記号を示す前記入力キーに前記ソフトウェアキーボード上で隣接している場合に、前記タッチミスとして検出してもよい。
また、前記タッチミス検出部は、前記照合結果が不一致だった前記入力パスワードの文字、数字又は記号に対応する前記設定パスワードの文字、数字又は記号を示す前記入力キーを中心として前記タッチミスを許容するタッチミス範囲を前記ソフトウェアキーボード上に設定し、不一致だった前記入力パスワードの文字、数字又は記号を示す前記入力キーに対する前記タッチ位置が前記タッチミス範囲に含まれる場合に、前記タッチミスとして検出してもよい。
また、前記タッチミス検出部は、前記タッチミスを検出した場合に、前記タッチミスを検出した前記入力パスワードの文字、数字又は記号を示す前記入力キーに対する前記タッチ位置と、対応する前記設定パスワードの文字、数字又は記号を示す前記入力キーとの前記ソフトウェアキーボード上の配置位置に基づいて前記タッチミスの傾向を取得し、前記認証処理部は、今回の前記タッチミスの傾向が前回の前記タッチミスの傾向と同じだった場合に、前記入力パスワードを前記設定パスワードが入力されたものとして認証してもよい。
本発明の画像形成装置は、上記のいずれかに記載の認証装置を備えたことを特徴とする。
【発明の効果】
【０００７】
本発明によれば、セキュリティーを確保した状態でタッチミスによるパスワードの入力間違いを削減することができる。
【図面の簡単な説明】
【０００８】
【図１】本発明に係る実施形態の画像形成装置の概略構成を示す機能ブロック図である。
【図２】図１に示すタッチパネルに表示されるパスワード入力画面例である。
【図３】図１に示す画像形成装置のパスワード認証処理の流れを示すフローチャートである。
【発明を実施するための形態】
【０００９】
以下、図を参照して本発明の実施形態を詳細に説明する。なお、以下の実施形態において、同様の機能を示す構成には、同一の符号を付してある。
【００１０】
図１を参照すると、画像形成装置１は、複写機や複合機であり、認証装置として機能する。画像形成装置１は、操作部１１と、原稿読み取り部１２と、記憶部１３と、画像処理部１４と、印刷部１５と、制御部１６とを備えている。
【００１１】
操作部１１は、タッチパネル１１１と操作ボタン１１２とを備えている。タッチパネル１１１は、各種操作キーや画像形成状況を表示する表示部の表面に透明の感圧センサーが設けられており、表示手段及び入力手段として機能する。タッチパネル１１１は、表示面へのタッチ位置を検知して、タッチ位置に対応する信号を出力することで、表示部に表示した操作キーへのタッチ操作を受け付ける。
【００１２】
例えば、タッチパネル１１１は、図２に示すように、文字、数字又は記号を示す複数の入力キー８３が配置されたソフトウェアキーボード８４を表示して、ソフトウェアキーボード８４を表示した表示面へのタッチ位置に対応して入力キー８３へのタッチ操作を受け付ける。操作ボタン１１２は、印刷枚数等の数値を入力するためのテンキー、設定情報を初期化させる指示を入力するためのリセットキー、複写動作を停止させるためのストップキー、印刷動作を開始させる出力指示を入力するためのスタートキー等の各種操作キーを備えている。
【００１３】
原稿読み取り部１２は、図示しない原稿給紙装置により給紙されてきた原稿や、ユーザーによってプラテンガラスに載置された原稿に対して光を照射し、その反射光等を受光して原稿画像を読み取るスキャナーである。
【００１４】
記憶部１３は、半導体メモリーやＨＤＤ等の記憶手段であり、原稿読み取り部１２によって読み取られた画像データなどが蓄積される記憶手段である。また、記憶部１３には、予め設定された設定パスワード１３１が記憶されている。設定パスワード１３１は、パスワード認証においてユーザーによって入力される入力パスワード８１が正しく入力されたか照合するためのパスワードである。
【００１５】
画像処理部１４は、画像データに対して所定の画像処理を行う手段である。画像処理部１４では、例えば、拡大縮小処理や、濃度調整、階調調整等の画像改善処理が行われる。
【００１６】
印刷部１５は、記憶部１３に記憶された画像データを印刷する印刷手段である。印刷部１５は、例えば、記憶部１３から読み出した画像データに基づき感光体ドラムの表面に潜像を形成し、トナーによってその潜像をトナー像とする画像形成を行い、その感光体ドラムから記録紙にトナー像を転写させ、そのトナー像を記録紙に定着させて排紙する。
【００１７】
制御部１６は、操作部１１、原稿読み取り部１２、記憶部１３、画像処理部１４及び印刷部１５にそれぞれ接続されている。制御部１６は、ＲＯＭ、ＲＡＭ等を備えたマイクロコンピュータ等の情報処理部である。ＲＯＭには画像形成装置１の動作制御を行うための制御プログラムが記憶されている。制御部１６は、ＲＯＭに記憶されている制御プログラムを読み出し、制御プログラムをＲＡＭに展開させることで、装置全体の制御を行う。また、制御部１６は、タッチパネル１１１に図２に示すパスワード入力画面Ｇ８０を表示させると、文字入力部１６１と、照合処理部１６２と、タッチミス検出部１６３と、認証処理部１６５として機能して、ユーザー認証を行う機能を有する。
【００１８】
パスワード入力画面Ｇ８０には、入力パスワード８１が入力されるパスワード入力領域８２と、入力パスワード８１の入力に用いられるソフトウェアキーボード８４と、入力パスワード８１が正しいか認証するためのＯＫボタンＢ８６とが設けられている。
【００１９】
ソフトウェアキーボード８４は、文字、数字又は記号（以下、「文字等」と称する）を示す複数の入力キー８３を有しており、複数の入力キー８３が複数段に並べられて配置されている。入力キー８３は、タッチ操作されることで、予め割り当てられている文字等をパスワード入力領域８２に入力するための操作キーである。
【００２０】
文字入力部１６１は、入力キー８３がタッチ操作されたことがタッチパネル１１１により検出される度に、タッチ操作された入力キー８３が示す文字等を入力パスワード８１のｎ文字目（ｎは自然数）として順にパスワード入力領域８２に入力（表示）する機能を有する。パスワード入力領域８２に入力された入力パスワード８１は、セキュリティーを確保するため"＊"等の伏せ字で表示される。
【００２１】
照合処理部１６２は、文字入力部１６１によってパスワード入力領域８２に入力パスワード８１のｎ文字目が入力される毎に、対応する設定パスワード１３１のｎ文字目と照合する機能を有する。
【００２２】
タッチミス検出部１６３は、照合処理部１６２による照合結果が一致しなかった場合に、ソフトウェアキーボード８４上のタッチ操作された入力キー８３の配置位置に基づいて、入力パスワード８１のｎ文字目におけるユーザーのタッチミスを検出する機能を有する。
【００２３】
修正処理部１６４は、タッチミス検出部１６３によりタッチミスが検出された場合に、入力パスワード８１のｎ文字目を設定パスワード１３１のｎ文字目に修正する機能を有する。照合処理部１６２による照合結果が一致した場合や、タッチミス検出部１６３によりタッチミスが検出されなかった場合、修正処理部１６４は、入力パスワード８１のｎ文字目を修正しない。
【００２４】
認証処理部１６５は、ＯＫボタンＢ８６が押されることにより、パスワード入力領域８２に入力されている入力パスワード８１を設定パスワード１３１と照合して、一致した場合に認証成功と判断し、一致しなかった場合に、認証失敗と判断する機能を有する。認証成功と判断されると、例えば、認証されたユーザーに対応してログインや画像形成機能の使用等が可能になり、認証失敗と判断されると、入力パスワード８１の再入力が要求される。
【００２５】
次に、図３を参照して画像形成装置１のパスワード認証処理の流れを説明する。
【００２６】
制御部１６は、操作部１１にパスワード入力画面Ｇ８０を表示させると（ステップｓ１１）、文字入力部１６１として機能する。文字入力部１６１は、入力パスワード８１として入力される文字数をカウントする変数であるｎをｎ＝０で初期化する（ステップｓ１２）。つづいて、文字入力部１６１は、入力キー８３に対するタッチ操作がタッチパネル１１１により検出されたか否かを判断する（ステップｓ１３）。入力キー８３がタッチ操作されていない場合（ステップｓ１３でＮｏ）、ＯＫボタンＢ８６が押されたかが判断され（ステップｓ２０）、ＯＫボタンＢ８６も押されていない場合（ステップｓ２０でＮｏ）、ステップｓ１３に処理が戻る。
【００２７】
入力キー８３に対するタッチ操作がタッチパネル１１１により検出されると（ステップｓ１３でＹｅｓ）、文字入力部１６１は、ｎをインクリメントして（ステップｓ１４）、タッチ操作された入力キー８３が示す文字等を入力パスワード８１のｎ文字目としてパスワード入力領域８２に入力する（ステップｓ１５）。
【００２８】
文字入力部１６１によって入力パスワード８１のｎ文字目が入力されると、照合処理部１６２は、入力パスワード８１のｎ文字目を記憶部１３に記憶されている設定パスワード１３１のｎ文字目と照合する（ステップｓ１６）。
【００２９】
照合の結果、一致しなかった場合に（ステップｓ１７でＮｏ）、タッチミス検出部１６３は、入力パスワード８１のｎ文字目におけるタッチミスを検出する（ステップｓ１８）。
【００３０】
例えば、タッチミス検出部１６３は、照合結果が不一致だった入力パスワード８１のｎ文字目を示す入力キー８３（タッチ操作された入力キー８３）が対応する設定パスワード１３１のｎ文字目を示す入力キー８３にソフトウェアキーボード８４上で隣接している場合に、タッチミスとして検出する。
【００３１】
具体的には、入力された入力パスワード８１の１文字目が"ａ"であり、設定パスワード１３１の１文字目が"ｓ"であり、両者が照合処理部１６２により照合され、不一致と判断されたとする。照合結果が一致しなかったため、タッチミス検出部１６３は、図２に示すソフトウェアキーボード８４上の"ａ"を示す入力キー８３の配置位置と"ｓ"を示す入力キー８３の配置位置を特定して、"ａ"を示す入力キー８３が"ｓ"を示す入力キー８３に隣接しているか否かを判断する。この場合、"ａ"を示す入力キー８３は、"ｓ"を示す入力キー８３に隣接しているので、タッチミス検出部１６３はタッチミスとして検出する。なお、隣接していなかった場合には、タッチミス検出部１６３はタッチミスでないと検出する。
【００３２】
また、タッチミス検出部１６３は、照合結果が不一致だった入力パスワード８１のｎ文字目を示す入力キー８３に対応する設定パスワード１３１のｎ文字目を示す入力キー８３を中心としてタッチミスを許容するタッチミス範囲８５をソフトウェアキーボード８４上に設定し、不一致だった入力パスワード８１のｎ文字目を示す入力キー８３に対するタッチ位置が設定したタッチミス範囲８５に含まれる場合に、タッチミスとして検出してもよい。
【００３３】
この場合、タッチミス検出部１６３は、ソフトウェアキーボード８４上で、設定パスワード１３１のｎ文字目を示す入力キー８３（例えば"ｓ"）を中心にタッチミスを許容するタッチミス範囲８５を設定する。図２に示すタッチミス範囲８５は、設定パスワード１３１のｎ文字目を示す入力キー８３（"ｓ"）に隣接する入力キー８３（"ａ"、"ｗ"、"ｅ"、"ｄ"、"ｘ"、"ｚ"）のキー領域（入力キー８３としての表示領域）の一部がそれぞれ含まれる大きさで矩形状に設定されている。また、タッチミス範囲８５は、設定パスワード１３１のｎ文字目を示す入力キー８３（"ｓ"）に対して斜めに重なるように設定されている。
【００３４】
つづいて、タッチミス検出部１６３は、入力パスワード８１のｎ文字目を示す入力キー８３（例えば"ａ"）に対して行われたタッチ位置をタッチパネル１１１から取得し、タッチ位置がタッチミス範囲８５に含まれるか否かを判断する。含まれる場合、タッチミス検出部１６３は、タッチミスとして検出し、含まれない場合、タッチミスでないと検出する。つまり、入力パスワード８１のｎ文字目を示す入力キー８３が、設定パスワード１３１のｎ文字目を示す入力キー８３に隣接しているだけでなく、入力パスワード８１のｎ文字目を示す入力キー８３に対するタッチ位置が設定パスワード１３１のｎ文字目を示す入力キー８３に近い場合（タッチミス範囲８５に含まれる場合）に、タッチミスとして検出される。
【００３５】
これにより、タッチミス検出部１６３は、設定パスワード１３１のｎ文字目を示す入力キー８３の近くの入力キー８３がタッチ操作された場合をタッチミスとして検出することができる。
【００３６】
タッチミスが検出された場合（ステップｓ１８でＹｅｓ）、修正処理部１６４は、入力パスワード８１のｎ文字目を設定パスワード１３１のｎ文字目に自動的に修正する（ステップｓ１９）。これにより、ユーザーがタッチミスで間違えて入力した入力パスワード８１は、正しい入力パスワード８１が入力されたものとして自動修正される。
【００３７】
一方、タッチミス検出部１６３によりタッチミスが検出されなかったり（ステップｓ１８でＮｏ）、照合結果が一致していたりした場合には（ステップｓ１７でＹｅｓ）、修正処理部１６４による入力パスワード８１のｎ文字目に対する修正は行われず、ステップｓ２０に処理が進む。
【００３８】
つづいて、認証処理部１６５は、ＯＫボタンＢ８６に対するタッチ操作がタッチパネル１１１により検出されたか否か（ＯＫボタンＢ８６が押されたか否か）を判断する（ステップｓ２０）。ＯＫボタンＢ８６が押されていない場合（ステップｓ２０でＮｏ）、ステップｓ１３に処理が戻る。従って、ユーザーがソフトウェアキーボード８４を用いて入力パスワード８１の文字等を入力する度に、タッチミスしているか否かが検出され、タッチミスが検出された場合には、入力した文字等が正しい文字等に自動的に修正される。
【００３９】
ユーザーは入力パスワード８１の入力が完了すると、ＯＫボタンＢ８６を押す。ＯＫボタンＢ８６が押されると（ステップｓ２０でＹｅｓ）、認証処理部１６５は、パスワード入力領域８２に入力された入力パスワード８１を設定パスワード１３１と照合する（ステップｓ２１）。
【００４０】
タッチミス検出部１６３により入力パスワード８１にタッチミスが検出され、修正処理部１６４により入力パスワード８１が修正されている場合、認証処理部１６５は、修正後の入力パスワード８１と設定パスワード１３１とを照合して認証する。言い換えれば、タッチミス検出部１６３により入力パスワード８１にタッチミスが検出された場合、認証処理部１６５は、入力パスワード８１を設定パスワード１３１が入力されたものとして認証する。
【００４１】
照合結果が一致した場合には（ステップｓ２２でＹｅｓ）、認証処理部１６５は、認証成功と判断し（ステップｓ２３）、一致しなかった場合に（ステップｓ２２でＮｏ）、認証失敗と判断して（ステップｓ２４）、本処理を終了する。
【００４２】
このように、認証装置として機能する画像形成装置１は、文字、数字又は記号を示す複数の入力キー８３が配置されたソフトウェアキーボード８４を表示して、ソフトウェアキーボード８４を表示した表示面へのタッチ位置に対応して入力キー８３へのタッチ操作を受け付けるタッチパネル１１１と、タッチパネル１１１を介して入力される入力パスワード８１と、設定パスワードとを照合することでユーザー認証を実行する認証処理部１６５と、照合結果が不一致だった場合に、入力パスワード８１におけるタッチミスを検出するタッチミス検出部１６３とを備え、認証処理部１６５は、タッチミスが検出された場合に、入力パスワード８１を設定パスワード１３１が入力されたものとして認証する。これによれば、入力パスワード８１におけるタッチミスが検出された場合、入力パスワード８１を設定パスワード１３１が入力されたものとして認証するので、タッチミスによる入力パスワード８１の入力間違いを削減し、入力パスワード８１の再入力を減らすことができる。
【００４３】
なお、タッチミス検出部１６３は、タッチミスを検出した入力パスワード８１のｎ文字目に対するタッチ位置と、設定パスワード１３１のｎ文字目を示す入力キー８３とにおけるソフトウェアキーボード８４上の配置位置に基づいて、ユーザーのタッチミス傾向を取得してＲＡＭや記憶部１３等に記憶してもよい。例えば、タッチ位置における設定パスワード１３１のｎ文字目を示す入力キー８３からの方向や距離をユーザーのタッチミス傾向としてもよい。修正処理部１６４は、タッチミスが検出されたときに、今回のタッチミス傾向が前回のタッチミス傾向と同じであるか否かを判断し、タッチミス傾向が同じ場合に、入力パスワード８１のｎ文字目を設定パスワード１３１のｎ文字目に自動的に修正してもよい。これによれば、認証処理部１６５は、ユーザーが前回と同様のタッチミスをした場合に入力パスワード８１を設定パスワード１３１が入力されたものとして認証するので、セキュリティーを高めることができる。なお、タッチミス検出部１６３は、ＲＡＭや記憶部１３に記憶した複数回分のタッチミス傾向の範囲に今回のタッチミス傾向が収まっている場合、タッチミス傾向が同じであると判断してもよい。
【００４４】
また、上記実施形態では、入力パスワード８１のｎ文字目が入力される度に、入力パスワード８１のｎ文字目を設定パスワード１３１のｎ文字目と照合して、照合結果が不一致だった場合にタッチミスか否かを検出したが、ＯＫボタンＢ８６が押されたタイミングで実行するようにしてもよい。つまり、認証処理部１６５により入力パスワード８１を設定パスワード１３１と照合する処理において、入力パスワード８１と設定パスワード１３１との間で不一致の文字があった場合に、その文字がタッチミスか否かをタッチミス検出部１６３により検出すればよい。タッチミスが検出された場合、修正処理部１６４によって入力パスワード８１が正しく修正された状態で、認証処理部１６５は入力パスワード８１を設定パスワード１３１が入力されたものとして認証してもよい。また、タッチミスが検出された場合、修正処理部１６４が入力パスワード８１を修正しなくても、認証処理部１６５が入力パスワード８１を設定パスワード１３１が入力されたものとして認証してもよい。
【００４５】
本発明は上述した実施の形態に限定されるものではなく、本発明の趣旨を逸脱しない範囲で種々様々に変更が可能であることは言うまでもない。
【符号の説明】
【００４６】
１  画像形成装置
１１  操作部
１２  原稿読み取り部
１３  記憶部
１４  画像処理部
１５  印刷部
１６  制御部
８１  入力パスワード
８２  パスワード入力領域
８３  入力キー
８４  ソフトウェアキーボード
８５  タッチミス範囲
１１１  タッチパネル
１１２  操作ボタン
１３１  設定パスワード
１６１  文字入力部
１６２  照合処理部
１６３  タッチミス検出部
１６４  修正処理部
１６５  認証処理部
Ｇ８０  パスワード入力画面
Ｂ８６  ＯＫボタン
【図１】
2018028833.tif 000003
【図２】
2018028833.tif 000004
【図３】
2018028833.tif 000005